(57)【特許請求の範囲】
【請求項１】
少なくとも２個並べた噴射容器の上端の２個の噴射用ステムに連結でき、これら２個の噴射用ステムを同時に押下でき、これら２個の噴射容器の内容物を同時に噴射できる噴射機構であって、
この噴射機構は、一対の噴射口部材と、これら一対の噴射口部材を連結する連結部材と、この連結部材を下方に押下できる操作部材とから成り、
前記噴射口部材は、その基端部が前記噴射用ステムと連結し、その先端部が噴口を成し、
前記連結部材はその略中央部で二分割され、分割された両連結部材はその分割された中央部で前記操作部材に軸支され、
これにより、前記操作部材を後方に移動することにより、前記両連結部材の軸支部も後方に引き寄せられて、前記一対の噴射口部材の先端の２つの噴口が近付く方向に両連結部材が回動し、噴口の噴射方向が交差する方向に両噴射口部材が回動し、
前記操作部材が、その操作本体部と、この操作本体部の上面で前後にスライド可能な前後スライド部とからなり、
前記両連結部の略中央部が前記前後スライド部に軸支され、
この前後スライド部を後方に引き寄せることにより前記一対の噴射口部材の両噴口が近付く方向に回動し、
前記操作本体部及び前後スライド部を押下することにより２噴射容器の内容物が噴射されることを特徴とする２噴射容器の噴射機構。
【請求項２】
前記２噴射容器の上端部に冠着できるキャップ部材を付加し、このキャップ部材の後方部に使用者の手によって把持することができる把持部を設け、この把持部を把持して前記操作部材を押下することができることを特徴とする請求項１に記載の２噴射容器の噴射機構。
【請求項３】
前記操作部材の前端部が前記キャップ部材に回動自在に連結され、前記操作部材の後端部を押下することにより２個の噴射容器の内容物を同時に噴射できることを特徴とする請求項２に記載の２噴射容器の噴射機構。
【請求項４】
前記一対の噴射口部材の噴口に噴射案内管を連結することができ、
この噴射案内管は、内部に導通路が形成され、基端側が二股に形成されて２つの連結端部を有し、その先端には噴口部が形成され、
前記連結端部を前記噴射口部材の噴口に連結することにより、２つの噴射容器の内容物が噴射案内管の導通路内で混合して先端の噴口部から外部に噴射されることを特徴とする請求項１乃至３の何れか１項に記載の２噴射容器の噴射機構。
【発明の詳細な説明】
【技術分野】
【０００１】
本発明は、２個並べた噴射容器（例えば、エアゾール容器やポンプ式噴射容器）の上端に設けられている２つの噴射用ステムに接続し、これを押し込むことによりこれら２つの噴射容器の内容物を噴射し且つ混合できる２つの噴射容器の２つの噴口の角度を変更できる噴口角度変更機構を有する噴射機構に関するものである。
【背景技術】
【０００２】
従来より、エアゾール製品にあっては、消臭剤や芳香剤、クリーナー等の家庭用品、化粧品や医薬品等の人体用品、住宅用や車用の塗料用品、防虫・殺虫用の殺虫用品、防錆剤や潤滑剤等の工業用品、曇り止め等の車用品、その他スポーツ用品等々各種のものが存在しているが、異なる２液を混合するタイプのものも存在する。
【０００３】
この場合、１つのエアゾール容器の内部に内部容器を収納するもの、１つのエアゾール容器の内部が分割され且つ使用時にその分割が破壊されるタイプのもの、更には、２つのエアゾール容器を並べて配置して、同時にこれら２つのエアゾール容器のバルブステムを押下して同時に噴射し且つ混合させるタイプのもの等が存在している。
【０００４】
混合される２液は、例えば、銀鏡液と還元液、或いは、異なる２色の塗料等を挙げることができる。
本願発明においては、これら２つの異なる内容物を収容する別のエアゾール容器の上端の２つのバルブステムに連結でき、これら２つのバルブステムを同時の押下し、２つのエアゾール容器内の異なる内容物を同時噴射し、混合することができるタイプのものに関する。
また、本発明においては、上記エアゾール容器ばかりでなく、ポンプ式の噴射容器にも適用することができ、これら２つの噴射容器内の異なる内容物を同時に噴射し、混合することができるものにも適用することができる。
【０００５】
従来のこの種のタイプの噴射機構としては、以下の特許文献に記載のものを挙げることができる。
下記特許文献１に記載の発明は、２種類の組成物を混合して発泡内容物を吐出する２液混合吐出装置に関するものである。
【０００６】
その構成は、２つのステムを受け入れるステム係合部と、それぞれのステムから供給される組成物を混合する混合室と、その混合された組成物を発泡し、吐出する発泡室と、ステム係合部および混合室を連通する２本の本体内通路と、混合室と発泡室を連通し、組成物の流れを制限する絞り孔とを備える２液混合吐出装置である。
【０００７】
下記特許文献２に記載の発明は、吐出される混合液が常時安定した混合形態をとり、外観上常時同じ形態の吐出液が得られる二液混合吐出器を提案する。
【０００８】
その構成は、上方付勢状態で押し下げ可能に突出したステムの押し下げにより収納液がステムより吐出するように構成した一対の第１吐出用容器及び第２吐出用容器と、各吐出用容器内の二液を混合して吐出する吐出具とを備え、吐出具は、一方の第１吐出用容器内と連通する第１流路と、他方の第２吐出用容器内と連通する第２流路と、両流路が合流するノズルとを有する吐出ヘッドを備え、吐出ヘッドの押し下げにより各吐出用容器内の液がそれぞれ第１流路及び第２流路からノズルを介して吐出される二液混合吐出器であって、ノズル内に混練羽根を収納固定するとともに、ノズル基端部の混練羽根の存在位置にそれぞれ第１流路及び第２流路を開口したものである。
【先行技術文献】
【特許文献】
【０００９】
【特許文献１】特開２０１３−７９０８２号公報
【特許文献２】特開２０１１−７３７６６号公報
【発明の概要】
【発明が解決しようとする課題】
【００１０】
上記従来の発明においては、２エアゾール容器から排出される２内容物をその吐出器により混合して、外界に吐出させるものであるが、本願発明においては、この２エアゾール容器のそれぞれの噴射口部材からそれぞれの内容物を噴射させ、その後にこれら２内容物を混合させるものを提供することを課題とする。
【００１１】
そして、その適切な混合を実現させるために、それぞれのエアゾール容器の上端部のバルブステムに接続されている噴射口部材の噴口の噴射方向を変更できるものを提供することをその課題とする。
これにより、２エアゾール容器の内容物は、それぞれのエアゾール容器から噴射された後に混合することができることとなるのである。
【００１２】
このようにすることにより、つまり、それぞれの噴射口部材の噴口からの噴射角度を調整し、変更する（交わる方向に変更する）ことにより、２エアゾール容器内の内容物は、それぞれの噴口から所定距離離れた所望の位置で混合させることができることとなるのである。
【００１３】
また、本願発明においては、このように噴口の噴射角度を変更できる構造を有する噴射機構を提案するのであるが、その際に、最も簡易な構成のものを提供すること、更には、その操作部をより操作し易い構造とすること等もその課題となる。
更に、この噴射機構は、そのままポンプ式の噴射容器にも適用できるため、かかるポンプ式噴射容器をもその権利範囲に含めることもその課題となる。
【課題を解決するための手段】
【００１４】
上記課題を解決するために、本発明の第１のものは、少なくとも２個並べた噴射容器の上端の２個の噴射用ステムに連結でき、これら２個の噴射用ステムを同時に押下でき、これら２個の噴射容器の内容物を同時に噴射できる噴射機構であって、この噴射機構は、一対の噴射口部材と、これら一対の噴射口部材を連結する連結部材と、この連結部材を下方に押下できる操作部材とから成り、前記噴射口部材は、その基端部が前記噴射用ステムと連結し、その先端部が噴口を成し、前記連結部材はその略中央部で二分割され、分割された両連結部材はその分割された中央部で前記操作部材に軸支され、これにより、前記操作部材を後方に移動することにより、前記両連結部材の軸支部も後方に引き寄せられて、前記一対の噴射口部材の先端の２つの噴口が近付く方向に両連結部材が回動し、噴口の噴射方向が交差する方向に両噴射口部材が回動し、前記操作部材が、その操作本体部と、この操作本体部の上面で前後にスライド可能な前後スライド部とからなり、前記両連結部の略中央部が前記前後スライド部に軸支され、この前後スライド部を後方に引き寄せることにより前記一対の噴射口部材の両噴口が近付く方向に回動し、前記操作本体部及び前後スライド部を押下することにより２噴射容器の内容物が噴射されることを特徴とする２噴射容器の噴射機構である。
【００１６】
本発明の第２のものは、上記第１発明において、前記２噴射容器の上端部に冠着できるキャップ部材を付加し、このキャップ部材の後方部に使用者の手によって把持することができる把持部を設け、この把持部を把持して前記操作部材を押下することができることを特徴とする２噴射容器の噴射機構である。
【００１７】
本発明の第３のものは、上記第２の発明において、前記操作部材の前端部が前記キャップ部材に回動自在に連結され、前記操作部材の後端部を押下することにより２個の噴射容器の内容物を同時に噴射できることを特徴とする２噴射容器の噴射機構である。
【００１８】
本発明の第４のものは、上記何れかの発明において、前記一対の噴射口部材の噴口に噴射案内管を連結することができ、この噴射案内管は、内部に導通路が形成され、基端側が二股に形成されて２つの連結端部を有し、その先端には噴口部が形成され、前記連結端部を前記噴射口部材の噴口に連結することにより、２つの噴射容器の内容物が噴射案内管の導通路内で混合して先端の噴口部から外部に噴射されることを特徴とする２噴射容器の噴射機構である。
【発明の効果】
【００１９】
本発明の第１のものにおいては、２噴射容器内の内容物がそれぞれ噴射され、その後に、それぞれの噴口から所定距離離れた位置で両内容物を混合させることができるため、例えば銀鏡皮膜等を形成させるために、一方の噴射容器内には銀鏡液を、他方の噴射容器内には還元液を収容して両者を噴霧し、所定距離離れた被塗装物品の表面に銀鏡皮膜を簡単に形成させることができる。
【００２０】
或いは、２色の塗料を２噴射容器に収納し、当該２色を混合した別の色目に所定距離離れた被塗装物品の表面に簡単に塗布することができることとなるのである。
この場合に、本発明においては、噴口を適宜平行又は離隔させて２色の縞模様に塗布着色することもでき、或いは、噴口を交差させる方向に配置すれば、当該２色の混合色に塗布着色することもできることとなるのである。
【００２１】
その他の２内容物を混合する例としては、クエン酸と重曹とを混合することにより、化粧品等であれば、炭酸パックや炭酸シャンプーとして製品化することができ、或いは、家庭用のものであれば、洗浄剤として製品化することも可能である。
【００２２】
本発明においては、操作部材の構成をより限定したものであり、即ち、この操作部材を操作本体部とこの操作本体部の上面で前後にスライド可能な前後スライド部とから形成し、２つの連結部の中央側の端部を前記前後スライド部に軸支することにより、この前後スライド部を後方に引き寄せることにより一対の噴射口部材の両噴口が近付く方向に回動し、その逆に前方に移動させることにより一対の噴口が離隔する方向に回動することとなるのである。
このように、本発明においては、前後スライド部の前後へのスライドにより簡単に両噴射口部材の噴口の角度を変更し、調整することができることとなるのである。
【００２３】
本発明の第２のものは、上記第１の発明において、更に、キャップ部材を付加したものである。
つまり、前記２噴射容器の上端部に冠着できるキャップ部材を付加し、このキャップ部材の後方部に使用者の手によって把持することができる把持部を設け、この把持部を保持して前記操作部材の後端部を押下することができるようにしたものである。
これにより、使用者は、このキャップ部材の把持部を把持して容易に且つ操作し易く操作部材を押下することができることとなるのである。
【００２４】
本発明の第３のものは、上記第２の発明において、操作部材の前端部を前記キャップ部材に回動自在に連結し、前記操作部材の後端部を押下することにより２個の噴射容器の内容物を同時に噴射できるようにしたものである。
尚、この操作部材は、このようにキャップ部材に連結せずに形成することも当然可能である。
というのも、この操作部材は２噴射容器の２噴射用ステムに連結した噴射口部材を連結する連結部材が軸支された操作部材を単に下方に押下することにより２エアゾール容器の内容物を同時に噴射することも可能だからである。
【００２５】
しかし、このような第３の発明の如く操作部材の前端部をキャップ部材に回動自在に連結することにより、キャップ部材の把持部を把持して、操作部材の後端部を押下することにより梃子式に確実に楽に操作を行うことができることとなるのである。
【００２６】
本発明の第４のものにおいては、上記何れかの発明において、一対の噴射口部材の噴口に更に噴射案内管を接続したものである。
この噴射案内管を接続することにより、この案内管の導通路内部で２つの噴射容器内の内容物が混合してその先端の噴口部より外界に噴射され、予め混合された内容物が噴射されることとなるのである。
即ち、一定の所定距離前方の位置で混合されるのでなく、噴口部から既に混合された内容物が噴射されることとなるのである。
【図面の簡単な説明】
【００２７】
【図１】本発明の噴射機構に係る一実施形態の平面図であって、その（Ａ）が２つの噴射口部材の噴射方向が略平行の状態を示し、その（Ｂ）が２つの噴射口部材の噴射方向が交わる方向にある状態を示すものである。
【図２】上記実施形態を示しており、その（Ａ）が側面図、その（Ｂ）が背面図である。
【図３】上記実施形態に係る噴射機構の作動を示しており、その（Ａ）が非作動状態の斜視図、その（Ｂ）が（Ａ）図のＢ−Ｂ線断面図、その（Ｃ）が作動状態の斜視図、その（Ｄ）が（Ｃ）図のＤ−Ｄ線断面図である。
【図４】上記実施形態に係る噴射機構の噴射口部材の噴口に更に噴射案内管を連結した状態を示し、その（Ａ）が（Ｂ）図のＡ−Ａ線断面図、その（Ｂ）が斜視図である。
【発明を実施するための形態】
【００２８】
以下、添付の図面と共に本発明の実施形態について説明する。
下記実施形態では２個のエアゾール容器に係る噴射機構を例示しているが、同一の噴射機構を２個のポンプ式噴射容器にそのまま適用することができるものである。
図１は、本発明の噴射機構に係る一実施形態の平面図であって、その（Ａ）が２つの噴射口部材の噴射方向が略平行の状態を示し、その（Ｂ）が２つの噴射口部材の噴射方向が交わる方向にある状態を示すものである。
図２は、同じく上記実施形態を示しており、その（Ａ）が側面図、その（Ｂ）が背面図である。
【００２９】
これらの２図から解る通り、本発明に係る噴射機構は、２つのエアゾール容器Ｋ、Ｋの上端部に装着されるものである。
この実施形態においては、これら２つのエアゾール容器Ｋ、Ｋの上端部に冠着できるキャップ部材３０を設けている。
【００３０】
このキャップ部材３０は、これを設けずに実施することもできるのであるが、このキャップ部材３０には、その背面側（内容物の噴射方向と反対側）に把持部３１を設けている関係上、この把持部３１を手で把持して本発明に係る噴射機構の操作部材２０を押下する際に便利なものとなるのである。
【００３１】
本発明に係る噴射機構は、図１から解る通り、エアゾール容器Ｋ、Ｋの上端部に設けられたバルブステムにその基端部が接続する噴射口部材１０、１０と、これら２つの噴射口部材１０、１０を連結する連結部材１２、１２と、これら２つの連結部材１２、１２の中央側端部の軸支部１３でこれらの連結部材１２、１２を軸支する操作部材２０とから構成されている。
【００３２】
噴射口部材１０は、後の図３においても説明するが、その内部に導通路を有し、その導通路の入口部（噴射口部材１０の基端部）で、エアゾール容器Ｋのバルブステムと連結する。
【００３３】
他方、噴射口部材１０の前記導通路の出口部は、略水平方向を向き、噴口を成すものであり、エアゾール容器Ｋの内容物は、この噴射口部材１０が押下されることによりこの噴口から外界に噴射されることとなる。
【００３４】
即ち、上記導通路は、その入口部でバルブステムと連結して上下方向に設けられ、その後、略水平方向に折れ曲がり、出口部である噴口へと連絡するのである。
左右一対の噴射口部材１０、１０の構造及び外形形状は同一である。
これら左右一対の噴射口部材１０、１０の後端部側に連結部材１２、１２が連結されるのである。
【００３５】
これらの連結部材１２、１２は、その中央側の端部の軸支部１３で、操作部材２０に軸支されている。
また、この操作部材２０は、前後に長い板状体のものからなり、その前端部２１でキャップ部材３０に回動自在に連結されており、その上面には前後スライド部２３が前後摺動可能に設けられている。
【００３６】
つまり、この実施形態では、前記一対の連結部材１２、１２の中央側の軸支部１３は、上記前後スライド部２３に軸支されているのである。
従って、この前後スライド部２３が後方に向かってスライドされると、軸支部１３も後方に移行し、それ故、連結部材１２、１２の中央側の軸支部１３も後方に移動し、その結果、噴射口部材１０、１０の先端の噴口１０ｆ、１０ｆは、相互に近付くように移動する。
【００３７】
即ち、噴射口部材１０は、その基端部であるバルブステムと連結する入口部を中心として左の噴射口部材１０は右方向に回動し、右の噴射口部材１０は左方向に回動することとなるのである。
【００３８】
その結果、噴射口部材１０、１０の噴口１０ｆ、１０ｆの噴射方向は交差する方向に移動し、エアゾール容器Ｋ、Ｋ内に収容されている異なる内容物が、噴射口部材１０の噴口１０ｆから所定距離離れた位置で混合することとなるのである。
【００３９】
従って、例えば、エアゾール容器Ｋ、Ｋの内容物として、一方に銀鏡液を、他方に還元液を収納しておけば、前後スライド部２３を後方に移行させて、噴射口部材１０、１０の噴射方向を交わる方向に回動させることにより、所定距離離れた被塗装物品上に銀鏡皮膜の塗布を容易に行うことができることとなるのである。
【００４０】
或いは、２つのエアゾール容器Ｋ、Ｋ内に異なる色の塗料を収納しておき、同様に前後スライド部２３を後方に摺動させ、操作部材２０及び前後スライド部２３を押下することにより、噴口１０ｆから所定距離離れた被塗装物品に上記２色が収納されたエアゾール容器Ｋ、Ｋ内の二色が混合された色目に容易に当該物品が着色塗装されることとなるのである。
【００４１】
図３は、上記実施形態に係る噴射機構の作動を示しており、その（Ａ）が非作動状態の斜視図、その（Ｂ）が（Ａ）図のＢ−Ｂ線断面図、その（Ｃ）が作動状態の斜視図、その（Ｄ）が（Ｃ）図のＤ−Ｄ線断面図である。
【００４２】
特に、上記（Ｂ）図及び（Ｄ）図から解る通り、操作部材２０を矢印Ｙの方向に押下することにより、連結部材１２、１２を介して、一対の噴射口部材１０、１０も下方に押し込まれて、エアゾール容器Ｋ、Ｋ内の内容物が噴口１０ｆ、１０ｆから同時に外界に噴射される。
【００４３】
噴射口部材１０、１０の先端の噴口１０ｆ、１０ｆは、キャップ部材３０の前面部に設けられた２つの孔部から外部に突出している。
この状態は、図１（Ａ）及び（Ｂ）からも見て取ることができる。
【００４４】
この孔部の外形形状は、横長の長円形の孔部から形成され、噴射口部材１０、１０の先端の噴口１０ｆ、１０ｆが相互に近付き、又は、遠ざかる方向に移動することを許容するように形成されている。
【００４５】
また図３（Ｂ）及び（Ｄ）から解る通り、操作部材２０の先端部はキャップ部材３０の前面部３０ｆに回動自在に枢着されている。
従って、この枢着部を支点として、この操作部材２０の後方部分を押下して一対の噴射口部材１０、１０を同時に押下することができる。
【００４６】
上記操作部材２０の上面部には前後にスライド可能な前後スライド部２３が設けられており、この前後スライド部２３に連結部材１２、１２の中央側の端部が軸支されている。
【００４７】
それ故、この前後スライド部２３を後方に移動させると、連結部材１２、１２を介して、噴射口部材１０、１０の前端の噴口１０ｆ、１０ｆが相互に近付く方向に移動するのである。
【００４８】
反対に、前後スライド部２３を前方に移動させれば、連結部材１２、１２を介して、噴射口部材１０、１０の前端の噴口１０ｆ、１０ｆ同士は相互に遠ざかる方向に移動するのである。
これについては既に上で説明をした。
【００４９】
図４は、上記実施形態に係る噴射機構の噴射口部材の噴口に更に噴射案内管を連結した状態を示し、その（Ａ）が（Ｂ）図のＡ−Ａ線断面図、その（Ｂ）が斜視図である。
【００５０】
この図に示した噴射案内管４０は、平面視Ｙ字形状を有し、内部に導通路を有する管体からなり、二股の基端部側の連結部４１、４１と、先端の噴口を成す噴口部４２を有する。
【００５１】
この実施形態では、上記噴口部４２には噴口チップ４２ｔを設けている。
噴口チップ４２ｔとしては各種の形態のものがあるが、所望の噴射形態を得るのに適したものを使用すればよい。
【００５２】
この噴射案内管４０では、噴射口部材１０、１０の噴口を適宜角度内側方向に近付けた状態において連結しているが、この噴射口部材１０、１０を略平行にした状態でその基端部の連結部４１、４１を接続できるように構成することも当然可能である。
【００５３】
その場合には、二股の角度を大きく形成し、基端部の連結部４１、４１を略平行に延長して設ければよいからである。
このように、この噴射案内管４０を利用することにより、予め、エアゾール容器Ｋ、Ｋの内部の内容物を混合した状態で噴射案内管４０の先端の噴口部４２から２内容物混合済みのものを外界に噴射することができることとなる。
【００５４】
以上、本発明の実施形態について説明したが、本発明においては、以下の通り種々設計変更を行うことができる。
尚、本発明に係る噴射機構は、上記エアゾール容器ばかりでなく、ポンプ式の噴射容器にもそのまま適用することができる。
【００５５】
このポンプ式噴射容器においても、エアゾール容器のバルブステムと同様に、ポンプから内容液が噴射される噴射用ステムが存在し、この噴射用ステムにそのまま上記実施形態に係る噴射機構を適合させることができるからである。
先ず第一に、本発明においては、上記したキャップ部材については、これを設けずに実施することができる。
【００５６】
即ち、操作部材は、その上面に２つの連結部材の軸支部を有し、この操作部材を押下することによりこれら連結部材を介して左右の一対の噴射口部材を押下することができれば、その機能を十全に発揮することができるからである。
【００５７】
勿論、キャップ部材を設けてその前面部に操作部材の前端部を回動自在に連結することにより、キャップ部材の把持部を手で把持して容易に操作部材の後端部を押下し易く構成した方がより望ましいものとなる。
【００５８】
尚、このキャップ部材は、上記実施形態では、その天部が開放されたものを採用しているが、この天部は、このように開放せずに、閉鎖したものとして実施することもできる。
この場合には、内部構造を隠すことができ、よりスマートなものとして製品化することができる。
【００５９】
噴射口部材の形態も自由に設計変更することができ、要は、内部に導通路が形成され、その基端部である入口部がエアゾール容器のバルブステムやポンプ式噴射容器の噴射用ステムと連結し、その導通路の出口部を噴口とすればよいのであって、その外観形状も適宜変更することができるものである。
【００６０】
連結部材も棒状又は板状の長尺状のものであって、その一対のものをその中央側の軸支部で軸支出来る形態のものであれば、どのような形態のものでもよい。
この軸支部は、操作部材の上面部に設けられていればよく、この操作部材が両側の一対の噴射口部材を共に同時に押下することができ、前後方向に移動できる形態のものであればよい。
【００６１】
上記実施形態では、この操作部材の上面に前後スライド部を設け、この前後スライド部に連結部材の中央側端部を軸支したが、この前後スライド部を設けずに実施することも可能である。
その際には、操作部材自体が前後に動く構成とする必要がある。
【００６２】
また、上記実施形態では、操作部材の前端部をキャップ部材の前面部に回動自在に連結しているが、この構成を採用することにより、操作部材の後端部の押し下げ動作をより確実・容易なものとしている。
【００６３】
噴射案内管の形態も自由に設計変更することができ、要は、内部に導通路が形成され、基端側が二股に構成されて噴射口部材の噴口に連結できる形態であって、先端に噴口部が形成されたものであれば、どのような形態のものであってもよい。
その先端に別体の噴口チップを嵌合し、各種の形態の噴射形態を有するものとすることもできる。
【００６４】
この噴射案内管は、連結される噴射口部材が略平行の状態にあるとき、或いは、その噴射口部材の噴口が近付いた状態にあるときに連結できる形態のものとすることができる。
【００６５】
更には、この噴射案内管はその材質として塑性変形可能な柔軟なものを採用することにより、噴射口部材の噴口がどの方向を向いていても連結できる形態のものとして実施することも可能である。
【００６６】
最後に、本発明においては、２噴射容器の噴射機構として特定しているが、これは最低限の構成要素を示したものであり、この噴射容器が３個以上であっても、この噴射機構を適用することが可能である。
というのも、連結される噴射容器が３個であれば、中央の噴射容器の噴射用ステムに連結する噴射口部材上に操作部材を設け、この操作部材を後方にスライドすることにより左右両側の噴射口部材を回動可能とし、これら３つの噴射口部材を同時に操作部材が押下できるように構成すればよいからである。
【００６７】
更に、４個の噴射容器であれば、中央の２つの噴射用ステムの中間位置に操作部材を配置し、この中央位置の操作部材を後方にスライドさせて押下することにより、４つの噴射口部材の噴口を中央に向け、全て同時に押下させる構成とすればよいからである。  
【００６８】
以上、本発明においては、一対の噴射口部材の噴口の噴射角度を変更し調整して噴口から所定距離離れた位置で２噴射容器内の内容物を混合して噴射塗布することができ、或いは、これらの噴口に噴射案内管を連結して、予め２噴射容器内の内容物を混合した状態で噴射できる噴射機構を提供することができたものである。
【符号の説明】
【００６９】
１０  噴射口部材
１０ｆ  噴口
１２  連結部材
１３  軸支部
２０  操作部材
２１  前端部
２３  前後スライド部
３０  キャップ部材
３０ｆ  前面部
３１  把持部
４０  噴射案内管
４１  連結部
４２  噴口部
４２ｔ  噴口チップ
Ｋ  エアゾール容器
【図１】
0006556496.tif 000002
【図２】
0006556496.tif 000003
【図３】
0006556496.tif 000004
【図４】
0006556496.tif 000005